【事件の表示】
　特願２０１５−　８７５７９「遊技機」拒絶査定不服審判事件〔平成２８年１２月　８日出願公開、特開２０１６−２０２５６５〕について、次のとおり審決する。
【結　論】
　本件審判の請求は、成り立たない。
【理　由】
第１　手続の経緯
　本願は、平成２７年４月２２日に特許出願したものであって、平成２９年３月１日付けで拒絶理由通知がなされ、平成２９年５月２日付けで意見書及び手続補正書が提出され、平成２９年７月４日付け（発送日：平成２９年７月１１日）で拒絶査定がなされ、これに対して平成２９年８月２１日に拒絶査定不服審判が請求されるとともに手続補正がなされ、これに対して平成２９年１０月３日付けで前置報告がなされたものである。
第２　平成２９年８月２１日付けの手続補正についての補正却下の決定
［補正却下の決定の結論］
　平成２９年８月２１日付けの手続補正（以下、本件補正という）を却下する。
［理由］
　１．本件補正の概要
　本件補正は特許請求の範囲の請求項１の補正を含むものであり、本件補正により、特許請求の範囲の請求項１の記載は、
　補正前（平成２９年５月２日付け手続補正）の
「【請求項１】
Ａ　変動表示を行ない、遊技者にとって有利な有利状態に制御可能な遊技機であって、
Ｂ　未だ開始されていない変動表示について、保留表示として表示可能な保留表示手段と、
Ｃ　保留表示の態様を、所定態様から第１特別態様および第２特別態様を含む複数種類の特別態様のうちのいずれかに変化可能な態様変化手段と、
Ｄ　前記所定態様で表示されている保留表示の態様が変化することを示唆する示唆演出を実行可能とする示唆演出実行手段とを備え、
　前記示唆演出実行手段は、
Ｄ１　前記所定態様で表示されている保留表示の態様が前記第１特別態様に変化することを示唆する第１示唆演出と、
Ｄ２　前記所定態様で表示されている保留表示の態様が前記第２特別態様に変化することを示唆する第２示唆演出と、
Ｄ４　一つの演出により前記所定態様で表示されている複数の保留表示の態様が前記特別態様に変化することを示唆する特定示唆演出とを実行可能である、遊技機。」
から、補正後（本件補正である平成２９年８月２１日付け手続補正）の
「【請求項１】
Ａ　変動表示を行ない、遊技者にとって有利な有利状態に制御可能な遊技機であって、
Ｂ　未だ開始されていない変動表示について、保留表示として表示可能な保留表示手段と、
Ｃ　保留表示の態様を、所定態様から第１特別態様および第２特別態様を含む複数種類の特別態様のうちのいずれかに変化可能な態様変化手段と、
Ｄ　前記所定態様で表示されている保留表示の態様が変化することを示唆する示唆演出を実行可能とする示唆演出実行手段とを備え、
　前記示唆演出実行手段は、
Ｄ１　前記所定態様で表示されている保留表示の態様が前記第１特別態様に変化することを示唆する第１示唆演出と、
Ｄ２　前記所定態様で表示されている保留表示の態様が前記第２特別態様に変化することを示唆する第２示唆演出と、
Ｄ３　
前記所定態様から前記第１特別態様に変化することを示唆した後、前記第２特別態様に変化することを示唆する第３示唆演出と、
Ｄ４　一つの演出により前記所定態様で表示されている複数の保留表示の態様が前記特別態様に変化することを示唆する特定示唆演出とを実行可能である、
遊技機。」
へ補正された（記号は分節のため当審で付した。下線は補正箇所を示す。）。
　２．補正の適否
　本件補正は、補正前の請求項１において、発明特定事項Ｄ３の
「
前記所定態様から前記第１特別態様に変化することを示唆した後、前記第２特別態様に変化することを示唆する第３示唆演出と、
という事項を追加する補正である。
　そして、補正後の請求項１に記載された発明は、補正前の請求項１に記載された発明と、産業上の利用分野及び解決しようとする課題が同一である。 
　よって、本件補正は、特許法第１７条の２第５項第２号に規定する限定的減縮を目的とするものに該当する。
　そして、本件補正は新規事項を追加するものではない。
　
　３．独立特許要件
　そこで、本件補正後の請求項１に記載された発明（以下「本件補正発明」という。）が特許出願の際独立して特許を受けることができるものであるか否か（特許法第１７条の２第６項において準用する同法第１２６条第７項の規定に適合するか）について以下に検討する。
　（１）先願明細書等
　原査定の拒絶の理由において提示された、本願の出願日以前に出願された特願２０１４−２１４５９２号（特開２０１６−７７７３０号公報参照）の願書に最初に添付した明細書、特許請求の範囲又は図面（以下、「先願明細書等」という。）には以下の記載がある。（下線は合議体が審決にて付した。以下、同じ。）
　（ア）　「【０００１】
　本発明は、パチンコ遊技機などの遊技機に関する。
【背景技術】
【０００２】
　従来より、始動口に遊技球が入賞したことを条件として大当たり抽選を受けるための権利が取得され、
大当たり抽選により大当たりに当選した場合には
多量の賞球を獲得可能な特別遊技が実行可能となる遊技機
　（イ）　「【００３３】
＜＜遊技機の基本動作＞＞
　次に、遊技機１００の基本動作について説明する。遊技機１００は、第１又は第２始動条件が成立すると、その成立タイミングに応じた特図判定用情報を取得し、特図判定用情報に基づく大当たり抽選を行う。特図判定用情報の取得は、大当たり抽選の権利の取得に相当する。大当たり抽選では、大当たりに当選したか否か（大当たりに当選したか、或いはハズレであるか）が判定される。第１始動条件の成立に基づいて
大当たり抽選をおこなった場合、遊技機１００は、
特別図柄を変動表示させ
　（ウ）　「【０１７０】
　図１９（ａ）は保留画像の表示態様の一例を示す図である。保留画像ＱＣ１〜ＱＣ７は互いに異なる画像である。本例において
保留画像ＱＣ１は白色の画像、保留画像ＱＣ２は青色の画像、保留画像ＱＣ３は緑色の画像、保留画像ＱＣ４は赤色の画像
　（エ）　「【０２１７】
―――保留演出態様決定処理―――
　ＣＰＵ４３１は保留演出態様決定処理において、保留演出の演出態様を決定する。本処理において決定可能な保留演出の演出態様としては、互いに演出態様が異なる第１保留演出〜第３保留演出が設定される。第１保留演出〜第３保留演出の演出態様の詳細は、本実施形態及び以降の実施形態の記載により明らかとなるが、各保留演出の演出態様について簡潔に述べると、第１保留演出は、初期画像と最終画像の画像が同一の画像であって画像が変化しない演出である。なお、
初期画像とは、
保留画像である
　（オ）　「【０２５４】
　図３２は保留変化前兆演出の演出例を示す説明図である。図３２は事前判定対象に対して保留非変化演出Ｙ１−２及び保留非変化予告演出の実行が決定された場合における保留変化前兆演出の演出例である。この場合、図３２（ａ）に示すように、画像表示領域ＱＲ３に初期画像として、画像ＱＣ２が表示された後に、
図３２（ｂ）に示すように保留変化前兆演出として、画像表示部１０４内であって、画像表示領域の近傍
に、緑色の球を持ったキャラクターＴＫが登場する演出が実行され
保留変化前兆演出は、初期画像が、初期画像とは異なる画像であ
特定の画像に対応する保留画像
に変化しうることを示唆する
図３２（ｂ）に示す保留変化前兆演出に代えて、図３３（ａ）
に示すように、赤色
の球を持ったキャラクターＴＫが登場する演出を実行することが可能である
　（カ）　「【０２７０】
／／／第２実施形態／／／
　第１実施形態では、保留演出態様決定処理において、第１保留演出の実行が決定された場合について説明したが、本実施形態では、保留演出態様決定処理において、第２保留演出の実行が決定された後に実行される保留演出内容決定処理について説明する。
【０２７１】
―――保留演出内容決定処理―――
　ＣＰＵ４３１は保留演出態様決定処理において第２保留演出の実行を決定した後、保留演出内容決定処理を実行する。以下、第２保留演出の内容の詳細について説明する。
【０２７２】
　ＣＰＵ４３１は、第２保留演出の具体的な演出内容を決定するための保留演出内容決定処理を実行する。第２保留演出として実行される演出は
、初期画像と最終画像の画像が異なる画像であって、画像が変化する演出（保留変化演出）を
含み、
保留変化演出の前に、保留変化演出が実行されることを示唆する保留変化予告演出が実行され
・・・
【０２７６】
　
図４１は保留変化演出
の演出例を示す説明図であ
初期画像として画像表示領域ＱＲ３に画像ＱＣ２が表示され
画像ＱＣ２を画像ＱＣ３に変化させた上で、画像表示領域ＱＲ２にシフト
【０２７７】
　保留変化演出は、初期画像から最終画像に直接変化される演出としてもよいが、図４１に示したように、初期画像から、初期画像及び最終画像とは異なる画像に変化された上で、最終的に最終画像を表示することとしてもよい（以下、
保留変化演出において、初期画像及び最終画像とは異なる画像を「経由画像」と称する
保留変化演出において初期画像から経由画像に変化し、経由画像から最終画像に変化される演出が実行される場合、経由画像としては、初期画像よりも大当たりに対する信頼度が高く、最終画像よりも大当たりに対する信頼度が低い画像が選択される
経由画像として、
画像ＱＣ３及び画像ＱＣ４
が選択され
　（キ）　「【０２９７】
　本実施形態において
保留変化予告演出とは、
保留変化前兆演出
を少なくとも含み、保留変化前兆演出後に実行可能な演出であ
保留変化示唆演出を含んでいてもよい
　（ク）　「【０２９９】
　
図４４は保留変化示唆演出の演出例を示す説明図であ
図４４（ａ）は、図３２（ｂ）と同一の図が示されている
【０３００】
　
図４４（ａ）に示すように緑色の球を持ったキャラクターＴＫが登場する保留変化前兆演出が実行され、
保留変化示唆演出として、キャラクターＴＫが緑色の球を画像表示領域ＱＲ２に向かって投げる演出が実行され、さらにその後に、
キャラクターＴＫが投げた緑色の球が画像表示領域ＱＲ２に表示された画像ＱＣ２に当たり、画像表示領域ＱＲ２に表示されていた画像ＱＣ２が画像ＱＣ３に変化する
　（ケ)　「【０３０７】
　
保留変化予告演出の実行が決定された場合において、保留変化予告演出を実行する回数は、保留変化演出における経由画像の数よりも１大きな数値以下（
画像が変化する回数以下であって、例えば経由画像が１つであれば、初期画像が経由画像に変化し、経由画像が最終画像に変化するため合計２回画像が変化するため２回以下）であればよい。保留変化予告演出を実行する回数を、保留変化演出における経由画像の数よりも１大きな数値と同一とすれば、画像が変化される度に保留変化予告演出が実行される
保留変化演出が実行される場合には、保留変化予告演出として、保留変化前兆演出及び保留変化示唆演出を実行される
　（コ）　「【０３１０】
　本実施形態によれば、
始動条件の成立により特別遊技を行うか否かの特別遊技判定の権利を保留可能な保留手段
演出を行わせる演出制御手段と、を備え、前記演出制御手段は、前記権利が保留されていることを示す保留図柄を表示手段に表示させるとともに、前記保留図柄を特殊保留図柄に変化させることが可能な保留表示制御手段と、
予告演出制御手段と、を有し
前記保留表示制御手段は、前記保留図柄を、
第１の特殊保留図柄、又は、
第２の特殊保留図柄、に変化させることが可能であ
前記予告演出制御手段は、前記保留図柄が前記第１の特殊保留図柄に変化されるとき、前記第１の特殊保留図柄に変化される可能性があることを示唆する第１の予告演出を行わせることを可能にし、前記保留図柄が前記第２の特殊保留図柄に変化されるとき、前記第２の特殊保留図柄に変化される可能性があることを示唆する第２の予告演出を行わせることを可能にする
【０３１１】
　なお、上記構成において、
保留手段は、
大当たり抽選の権利を
保留し、
保留表示制御手段及び予告演出制御手段を有する演出制御手段は、
変動演出を実行する演出制御部４０３
予告演出制御手段は、
保留変化予告演出を実行し
予告演出制御手段は、
保留変化予告演出を実行する
　（サ）　「【０４２２】
　[保留変化示唆演出の変形例２]
　第２実施形態において、保留変化予告演出は、特図判定の権利が複数保留されている場合に、その内、特定の一つの特図判定の権利が保留されていることを示す保留画像について保留変化演出が実行されることを示唆する演出であったが、本変形例においては、特定の二つの特図判定の権利が保留されていることを示す保留画像について保留変化演出が実行されることを示唆することが可能であることとする。
【０４２３】
　図８７及び図８８は、本変形例による保留変化予告演出の演出例を示す説明図であり、事前判定対象に対して保留演出決定処理において保留変化演出Ｙ２−６の実行が決定され、先行保留の内、事前判定対象よりも一つ特図判定の権利の優先順位が高い先行保留（図８７（ａ）に示す画像表示領域ＱＲ２に表示された保留画像ＱＣ１に対応する保留であり、対象先行保留と称する。）に対して保留演出決定処理において保留変化演出Ｙ２−２の実行が決定されている場合における保留変化予告演出の演出例の説明図である。
【０４２４】
　本変形例における保留変化演出Ｙ２−６は、図８７（ａ）に示すように
事前判定対象に対応する画像ＱＣ２が画像表示領域ＱＲ３に表示されているときに画像ＱＣ４に変化
【０４２５】
　この場合、
保留変化前兆演出として、
キャラクターＴＫが緑色の球と赤色の球を持って登場する演出が実行され
保留変化示唆演出として、キャラクターＴＫが緑色の球を画像表示領域ＱＲ２に向かって投げ、赤色の球を画像表示領域ＱＲ３に向かって投げる演出
、及び、緑色の球が画像表示領域ＱＲ２に表示された画像ＱＣ１に当たり、赤色の球が画像表示領域ＱＲ３に表示された画像ＱＣ２に当たる演出
が実行された後、
画像表示領域ＱＲ２に表示された画像ＱＣ１が画像ＱＣ３に変化し、画像表示領域ＱＲ３に表示された画像ＱＣ２が画像ＱＣ４に変化する演出が実行される
　（シ）　（ア）の【０００２】には「
大当たり抽選により大当たりに当選した場合には
多量の賞球を獲得可能な特別遊技が実行可能となる遊技機
大当たり抽選をおこなった場合、遊技機１００は、
特別図柄を変動表示させ
　（ス）　(コ)の【０３１０】には「
始動条件の成立により特別遊技を行うか否かの特別遊技判定の権利を保留可能な保留手段
保留手段は、
大当たり抽選の権利を
保留し、
前記権利が保留されていることを示す保留図柄を表示手段に表示させる
　さらに、【０３１０】には「
前記権利が保留されていることを示す保留図柄を表示手段に表示させるとともに、前記保留図柄を特殊保留図柄に変化させることが可能な保留表示制御手段
前記保留表示制御手段は、前記保留図柄を、
第１の特殊保留図柄、又は、
第２の特殊保留図柄、に変化させることが可能であ
　（セ）　（エ）の【０２１７】には「
初期画像とは、
保留画像である
保留変化前兆演出は、初期画像が、初期画像とは異なる画像であ
特定の画像に対応する保留画像
に変化しうることを示唆する
保留変化予告演出とは、
保留変化前兆演出
を少なくとも含み、保留変化前兆演出後に実行可能な演出であ
保留変化示唆演出を含んでいてもよい
予告演出制御手段は、
保留変化予告演出を実行し
予告演出制御手段は、
保留変化予告演出を実行する
　加えて、（コ）の【０３１０】には「
予告演出制御手段と、を有し
前記予告演出制御手段は、前記保留図柄が前記第１の特殊保留図柄に変化されるとき、前記第１の特殊保留図柄に変化される可能性があることを示唆する第１の予告演出を行わせることを可能にし、前記保留図柄が前記第２の特殊保留図柄に変化されるとき、前記第２の特殊保留図柄に変化される可能性があることを示唆する第２の予告演出を行わせることを可能にする
　以上を総合すると、先願明細書等には「保留画像である初期画像が、初期画像とは異なる画像である特定の画像に対応する保留画像に変化しうることを示唆する保留変化前兆演出を少なくとも含み、保留変化前兆演出後に実行可能である保留変化示唆演出を含んでいてもよい保留変化予告演出を実行する予告演出制御手段であって、前記保留図柄が前記第１の特殊保留図柄に変化されるとき、前記第１の特殊保留図柄に変化される可能性があることを示唆する第１の予告演出を行わせることを可能にし、前記保留図柄が前記第２の特殊保留図柄に変化されるとき、前記第２の特殊保留図柄に変化される可能性があることを示唆する第２の予告演出を行わせることを可能にする予告演出制御手段」が記載されているといえる。（認定事項（セ））
　（ソ）　（ク）の【０３００】には「
図４４（ａ）に示すように緑色の球を持ったキャラクターＴＫが登場する保留変化前兆演出が実行され、
保留変化示唆演出として、キャラクターＴＫが緑色の球を画像表示領域ＱＲ２に向かって投げる演出が実行され、さらにその後に、
キャラクターＴＫが投げた緑色の球が画像表示領域ＱＲ２に表示された画像ＱＣ２に当たり、画像表示領域ＱＲ２に表示されている画像ＱＣ２が、画像ＱＣ３に変化する
　ここで、（ウ）の【０１７０】の「
保留画像ＱＣ３は緑色の画像
保留画像ＱＣ２は青色の画像
保留変化予告演出とは、
保留変化前兆演出
を少なくとも含み、保留変化前兆演出後に実行可能な演出であ
保留変化示唆演出を含んでいてもよい
　また、（オ）の【０２５４】には「
図３２（ｂ）に示す保留変化前兆予告に代えて、図３３（ａ）
に示すように赤色
の球を持ったキャラクターＴＫが登場する演出を実行することが可能である
「図４４は保留変化示唆演出の演出例を示す説明図であ
図４４（ａ）は、図３２（ｂ）と同一の図が示されている
　そうすると、先願明細書等には、「緑色の球を持ったキャラクターＴＫが登場する保留変化前兆演出が実行され」る例、すなわち図３２（ｂ）に示す保留変化前兆予告に代えて、「赤色の球を持ったキャラクターＴＫが登場する保留変化前兆演出が実行され」ることが実質的に開示されているということができる。
　そして、赤色の球を持ったキャラクターＴＫが登場する保留変化前兆演出が実行される場合、上記保留変化示唆演出として、上記（認定事項（ソ−１））と同様の変化を行う演出、すなわち、キャラクターＴＫが投げた球の色と、キャラクターが投げた球が当たった画像ＱＣ２が変化する画像の色が同じ赤色になる演出が行われることも実質的に開示されているといえる。
　ここで、（ウ）の【０１７０】の「
保留画像ＱＣ４は赤色の画像
　「保留変化示唆演出として、キャラクターＴＫが緑色の球を画像表示領域ＱＲ２に向かって投げる演出が実行され、キャラクターＴＫが投げた緑色の球が画像表示領域ＱＲ２に表示された青色の保留画像ＱＣ２に当たり、画像表示領域ＱＲ２に表示されていた画像ＱＣ２が画像ＱＣ３」、すなわち緑色、「に変化する演出が実行される」代わりに、
　「保留変化示唆演出として、キャラクターＴＫが赤色の球を画像表示領域ＱＲ２に向かって投げる演出が実行され、さらにその後に、キャラクターＴＫが投げた赤色の球が画像表示領域ＱＲ２に表示された青色の保留画像ＱＣ２に当たり、画像表示領域ＱＲ２に表示されていた保留画像ＱＣ２が、キャラクタＴＫが投げた球の色と同じ赤色である保留画像ＱＣ４に変化する演出が実行され」ることも実質的に開示されているといえる。（認定事項（ソ−２−２））
　上記認定事項（ソ−２−１）、（ソ−２−２）、及び【０２９７】の「
保留変化予告演出とは、
保留変化前兆演出
を少なくとも含み、保留変化前兆演出後に実行可能な演出であ
保留変化示唆演出を含んでいてもよい
「赤色の球を持ったキャラクターＴＫが登場する保留変化前兆演出が実行され、保留変化示唆演出として、キャラクタＴＫが赤色の球を画像表示領域ＱＲ２に向かって投げる演出が実行され、さらにその後に、キャラクタＴＫが投げた赤色の球が画像表示領域ＱＲ２に表示された青色の保留画像ＱＣ２に当たり、画像表示領域ＱＲ２に表示されている保留画像ＱＣ２が、投げた球と同じ赤色である保留画像ＱＣ４に変化する、保留変化予告演出が実行され」ることが記載されているといえる。（認定事項（ソ−２））
　（タ）　先願明細書等の（カ）の【０２７７】には「
保留変化演出において、初期画像及び最終画像とは異なる画像を「経由画像」と称する
保留変化予告演出の実行が決定された場合において、保留変化予告演出を実行する回数は、保留変化演出における経由画像の数よりも１大きな数値以下（
画像が変化する回数以下であって、例えば経由画像が１つであれば、初期画像が経由画像に変化し、経由画像が最終画像に変化するため合計２回画像が変化するため２回以下）であればよい。保留変化予告演出を実行する回数を、保留変化演出における経由画像の数よりも１大きな数値と同一とすれば、画像が変化される度に保留変化予告演出が実行される
保留変化演出が実行される場合には、保留変化予告演出として、保留変化前兆演出及び保留変化示唆演出を実行される
　また、【０２７７】には「
保留変化演出において初期画像から経由画像に変化し、経由画像から最終画像に変化される演出が実行される場合、経由画像としては、初期画像よりも大当たりに対する信頼度が高く、最終画像よりも大当たりに対する信頼度が低い画像が選択される
　加えて、（ウ）の【０１７０】の「
保留画像ＱＣ３
保留画像ＱＣ４
経由画像として、
画像ＱＣ３及び画像ＱＣ４
が選択され
　以上のことから、先願明細書等には
「初期画像が、初期画像とは異なる保留画像である経由画像に変化し、経由画像が初期画像とも経由画像とも異なる最終画像に変化する場合、経由画像の数が１であり、保留変化予告演出として保留変化前兆演出及び保留変化示唆演出を実行する回数は２回である」ことが記載されているといえる。（認定事項（タ））
　
　（チ）　先願明細書等の（サ）の【０４２５】には「
保留変化前兆演出として、
キャラクターＴＫが緑色の球と赤色の球を持って登場する演出が実行され
保留変化示唆演出として、キャラクターＴＫが緑色の球を画像表示領域ＱＲ２に向かって投げ、赤色の球を画像表示領域ＱＲ３に向かって投げる演出
、及び、緑色の球が画像表示領域ＱＲ２に表示された画像ＱＣ１に当たり、赤色の球が画像表示領域ＱＲ３に表示された画像ＱＣ２に当たる演出
が実行された後、
画像表示領域ＱＲ２に表示された画像ＱＣ１が画像ＱＣ３に変化し、画像表示領域ＱＲ３に表示された画像ＱＣ２が画像ＱＣ４に変化する演出が実行される
保留画像ＱＣ１は白色の画像、保留画像ＱＣ２は青色の画像、保留画像ＱＣ３は緑色の画像、保留画像ＱＣ４は赤色の画像
「保留変化前兆演出として、キャラクターＴＫが緑色の球と赤色の球を持って登場する演出が実行され、保留変化示唆演出として、キャラクターＴＫが緑色の球を画像表示領域ＱＲ２に向かって投げ、赤色の球を画像表示領域ＱＲ３に向かって投げる演出、及び、緑色の球が画像表示領域ＱＲ２に表示された白色の保留画像ＱＣ１に当たり、赤色の球が画像表示領域ＱＲ３に表示された青色の保留画像ＱＣ２に当たる演出が実行された後、画像表示領域ＱＲ２に表示された画像ＱＣ１が緑色の保留画像ＱＣ３に変化し、画像表示領域ＱＲ３に表示された画像ＱＣ２が赤色の保留画像ＱＣ４に変化する演出が実行される」ことが記載されているといえる。（認定事項（チ））
　上記の記載事項（ア）〜（サ）及び認定事項（シ）〜（チ）から、先願明細書等には、
「ａ　大当たり抽選をおこなって特別図柄を変動表示させ、大当たりに当選した場合には多量の賞球を獲得可能な特別遊技が実行可能となる遊技機１００であって、（認定事項（シ））
ｂ　大当たり抽選の権利が保留されていることを示す保留図柄を表示する表示手段と、（認定事項（ス−１））
ｃ　前記保留図柄を、第１の特殊保留図柄、又は、第２の特殊保留図柄、に変化させて表示手段に表示させることが可能である保留表示制御手段と、（認定事項（ス−２））
ｄ　保留画像である初期画像が、初期画像とは異なる画像である特定の画像に対応する保留画像に変化しうることを示唆する保留変化前兆演出を少なくとも含み、保留変化前兆演出後に実行可能である保留変化示唆演出を含んでいてもよい保留変化予告演出を実行する予告演出制御手段であって、前記保留図柄が前記第１の特殊保留図柄に変化されるとき、前記第１の特殊保留図柄に変化される可能性があることを示唆する第１の予告演出を行わせることを可能にし、前記保留図柄が前記第２の特殊保留図柄に変化されるとき、前記第２の特殊保留図柄に変化される可能性があることを示唆する第２の予告演出を行わせることを可能にする予告演出制御手段と、（認定事項（セ））
を備え、
ｄ１　緑色の球を持ったキャラクターＴＫが登場する保留変化前兆演出が実行され、保留変化示唆演出として、キャラクタＴＫが緑色の球を画像表示領域ＱＲ２に向かって投げる演出が実行され、さらにその後に、キャラクタＴＫが投げた緑色の球が画像表示領域ＱＲ２に表示された青色の保留画像ＱＣ２に当たり、画像表示領域ＱＲ２に表示されている保留画像ＱＣ２が、投げた球と同じ緑色である保留画像ＱＣ３に変化する、保留変化予告演出が実行され、（認定事項（ソ−１））
ｄ２　赤色の球を持ったキャラクターＴＫが登場する保留変化前兆演出が実行され、保留変化示唆演出として、キャラクタＴＫが赤色の球を画像表示領域ＱＲ２に向かって投げる演出が実行され、さらにその後に、キャラクタＴＫが投げた赤色の球が画像表示領域ＱＲ２に表示された青色の保留画像ＱＣ２に当たり、画像表示領域ＱＲ２に表示されている保留画像ＱＣ２が、投げた球と同じ赤色である保留画像ＱＣ４に変化する、保留変化予告演出が実行され、（認定事項（ソ−２））
ｄ３　初期画像が、初期画像とは異なる経由画像に変化し、経由画像が初期画像とも経由画像とも異なる最終画像に変化する場合、経由画像の数が１であり、保留変化予告演出として保留変化前兆演出及び保留変化示唆演出を実行する回数は２回であり、（認定事項（タ））
ｄ４　保留変化前兆演出として、キャラクターＴＫが緑色の球と赤色の球を持って登場する演出が実行され、保留変化示唆演出として、キャラクターＴＫが緑色の球を画像表示領域ＱＲ２に向かって投げ、赤色の球を画像表示領域ＱＲ３に向かって投げる演出、及び、緑色の球が画像表示領域ＱＲ２に表示された各色の保留画像ＱＣ１に当たり、赤色の球が画像表示領域ＱＲ３に表示された青色の保留画像ＱＣ２に当たる演出が実行された後、画像表示領域ＱＲ２に表示された画像ＱＣ１が緑色の保留画像ＱＣ３に変化し、画像表示領域ＱＲ３に表示された画像ＱＣ２が赤色の保留画像ＱＣ４に変化する演出が実行される、（認定事項（チ））
　遊技機１００。」
　
という発明（記号ａ〜ｄ、ｄ１〜ｄ４は本件補正発明のＡ〜Ｄ、Ｄ１〜Ｄ４に対応させて当審で付した。以下、「先願発明」という。）が開示されていると認める。
　（２）本件補正発明と先願発明との対比
　
　本件補正発明と先願発明とを対比する。（記号は先願発明の発明特定事項に対応させて付した）
　
　（ａ）　先願発明における発明特定事項ａである「大当たり抽選をおこなって特別図柄を変動表示させ、大当たりに当選した場合には多量の賞球を獲得可能な特別遊技が実行可能となる遊技機１００」は本件補正発明の発明特定事項Ａである「変動表示を行ない、遊技者にとって有利な有利状態に制御可能な遊技機」に相当する。
　（ｂ）　先願発明における発明特定事項ｂである「大当たり抽選の権利が保留されていることを示す保留図柄を表示する表示手段」について、「大当たり抽選の権利が保留されている」とは未だ大当たり抽選がおこなわれておらず、変動表示も開始されていないということができるから、「大当たり抽選の権利が保留されていることを示す保留図柄を表示する表示手段」は、本件補正発明の発明特定事項Ｂである「未だ開始されていない変動表示について、保留表示として表示可能な保留表示手段」に相当する。
　（ｃ）　先願発明における発明特定事項ｃである「前記保留図柄を、第１の特殊保留図柄、又は、第２の特殊保留図柄、に変化させて表示手段に表示させることが可能である保留表示制御手段」は、本件補正発明の発明特定事項Ｃである「保留表示の態様を、所定態様から第１特別態様および第２特別態様を含む複数種類の特別態様のうちのいずれかに変化可能な態様変化手段」に相当する。
　（ｄ）　先願発明における発明特定事項ｄである「保留画像である初期画像が、初期画像とは異なる画像である特定の画像に対応する保留画像に変化しうることを示唆する保留変化前兆演出を少なくとも含み、保留変化前兆演出後に実行可能である保留変化示唆演出を含んでいてもよい保留変化予告演出を実行する予告演出制御手段であって、前記保留図柄が前記第１の特殊保留図柄に変化されるとき、前記第１の特殊保留図柄に変化される可能性があることを示唆する第１の予告演出を行わせることを可能にし、前記保留図柄が前記第２の特殊保留図柄に変化されるとき、前記第２の特殊保留図柄に変化される可能性があることを示唆する第２の予告演出を行わせることを可能にする予告演出制御手段」は、所定の態様で表示されている保留図柄が変化することを示唆する演出を実行可能とすることができるといえるから、本件補正発明の発明特定事項Ｄである「前記所定態様で表示されている保留表示の態様が変化することを示唆する示唆演出を実行可能とする示唆演出実行手段」に相当する。
　（ｄ１）　先願発明における発明特定事項ｄ１における「緑色の球を持ったキャラクターＴＫが登場する保留変化前兆演出が実行され、保留変化示唆演出として、キャラクタＴＫが緑色の球を画像表示領域ＱＲ２に向かって投げる演出が実行され、さらにその後に、キャラクタＴＫが投げた緑色の球が画像表示領域ＱＲ２に表示された青色の保留画像ＱＣ２に当たり、画像表示領域ＱＲ２に表示されている保留画像ＱＣ２が、投げた球と同じ緑色である保留画像ＱＣ３に変化する、保留変化予告演出」は、青色の保留画像ＱＣ２が緑色の保留画像ＱＣ３に変化することを示唆しているといえ、本件補正発明の発明特定事項Ｄ１である「前記所定態様で表示されている保留表示の態様が前記第１特別態様に変化することを示唆する第１示唆演出」に相当する。
　（ｄ２）　先願発明における発明特定事項ｄ２における「赤色の球を持ったキャラクターＴＫが登場する保留変化前兆演出が実行され、保留変化示唆演出として、キャラクタＴＫが赤色の球を画像表示領域ＱＲ２に向かって投げる演出が実行され、さらにその後に、キャラクタＴＫが投げた赤色の球が画像表示領域ＱＲ２に表示された青色の保留画像ＱＣ２に当たり、画像表示領域ＱＲ２に表示されている保留画像ＱＣ２が、投げた球と同じ赤色である保留画像ＱＣ４に変化する、保留変化予告演出」は、青色の保留画像ＱＣ２が赤色の保留画像ＱＣ４に変化することを示唆しているといえ、本件補正発明の発明特定事項Ｄ２である「前記所定態様で表示されている保留表示の態様が前記第２特別態様に変化することを示唆する第２示唆演出」に相当する。
　（ｄ３）　先願発明における発明特定事項ｄ３である「初期画像が、初期画像とは異なる経由画像に変化し、経由画像が初期画像とも経由画像とも異なる最終画像に変化する場合、経由画像の数が１であり、保留変化予告演出として保留変化前兆演出及び保留変化示唆演出を実行する回数は２回であ」ることについて、保留変化前兆演出及び保留変化示唆演出を含む保留変化予告演出が２回行われることによって、初期画像が初期画像とは異なる経由画像に変化し、経由画像が初期画像とも経由画像とも異なる最終画像に変化する。
　そうすると、１回目の保留予告変化演出は初期画像が初期画像とは異なる経由画像に変化することを示唆し、２回目の保留予告変化演出は経由画像が初期画像とも経由画像とも異なる最終画像に変化することを示唆するものであるから、２つの保留予告変化演出は異なるものであり、先願発明における発明特定事項ｄ３は、先願発明における発明特定事項ｄ１の保留予告変化演出と、先願発明における発明特定事項ｄ２の保留予告変化演出とが、この順番で実行される場合を含むものであるが、これは本件補正発明の発明特定事項Ｄ３である「前記所定態様から前記第１特別態様に変化することを示唆した後、前記第２特別態様に変化することを示唆する第３示唆演出」に相当する。
　（ｄ４）　先願発明における発明特定事項ｄ４である「保留変化前兆演出として、キャラクターＴＫが緑色の球と赤色の球を持って登場する演出が実行され、保留変化示唆演出として、キャラクターＴＫが緑色の球を画像表示領域ＱＲ２に向かって投げ、赤色の球を画像表示領域ＱＲ３に向かって投げる演出、及び、緑色の球が画像表示領域ＱＲ２に表示された白色の保留画像ＱＣ１に当たり、赤色の球が画像表示領域ＱＲ３に表示された青色の保留画像ＱＣ２に当たる演出が実行された後、画像表示領域ＱＲ２に表示された画像ＱＣ１が緑色の保留画像ＱＣ３に変化し、画像表示領域ＱＲ３に表示された画像ＱＣ２が赤色の保留画像ＱＣ４に変化する演出が実行される」ことは、「白色の保留画像ＱＣ１」の態様を「緑色の保留画像ＱＣ３」に、「青色の保留画像ＱＣ２」の態様を「赤色の保留画像ＱＣ４」に、それぞれ変化させることを示唆する演出を実行することであり、本件補正発明の発明特定事項Ｄ４である「一つの演出により前記所定態様で表示されている複数の保留表示の態様が前記特別態様に変化することを示唆する特定示唆演出とを実行可能である」ことに相当する。
　以上のことから、本件補正発明と先願発明は
「変動表示を行ない、遊技者にとって有利な有利状態に制御可能な遊技機であって、
　未だ開始されていない変動表示について、保留表示として表示可能な保留表示手段と、
　保留表示の態様を、所定態様から第１特別態様および第２特別態様を含む複数種類の特別態様のうちのいずれかに変化可能な態様変化手段と、
　前記所定態様で表示されている保留表示の態様が変化することを示唆する示唆演出を実行可能とする示唆演出実行手段とを備え、
　前記示唆演出実行手段は、
　前記所定態様で表示されている保留表示の態様が前記第１特別態様に変化することを示唆する第１示唆演出と、
　前記所定態様で表示されている保留表示の態様が前記第２特別態様に変化することを示唆する第２示唆演出と、
　前記所定態様から前記第１特別態様に変化することを示唆した後、前記第２特別態様に変化することを示唆する第３示唆演出と、
　一つの演出により前記所定態様で表示されている複数の保留表示の態様が前記特別態様に変化することを示唆する特定示唆演出とを実行可能である、
遊技機。」
で一致し、相違点はない。
　（３）小括
　以上のとおり、本件補正発明は、先願発明と同一の発明であり、しかも、本件補正発明の発明者が先願発明の発明者と同一であるとはいえず、また、本願の出願日時点において、その出願人が先願発明の出願人と同一であるともいえないので、特許法第２９条の２の規定により特許出願の際独立して特許を受けることができないものである。
　（４）審判請求人の主張について
　審判請求人は平成２９年８月２１日付け審判請求書の「（３）拒絶理由について」において、平成２９年８月２１日付け手続補正書により補正された請求項１、２記載の発明と先願発明との対比において、以下の主張を行っている。
「同日付提出の手続補正書により、本願発明１および本願発明２（以下、「本願発明」とも称します。）は、示唆演出実行手段が「前記所定態様から前記第１特別態様に変化することを示唆した後、前記第２特別態様に変化することを示唆する第３示唆演出」を実行可能であることが限定されました（構成Ｄ３）。
　先願１の当初明細書等には、図８７および図８８に開示されているように、二つの保留画像について保留変化演出が実行されることは開示されているものの、一の保留画像に対して、当該保留画像の態様が他の態様に変化することを示唆した後に、当該他の態様とは異なる態様に変化することを示唆することは開示されていません。 
　つまり、先願１の当初明細書等には、補正後の本願発明が備える構成Ｄ３に係る技術事項が記載されていません。 
　さらに、本願発明は、先願発明が備えていない構成Ｄ３を備えることにより、保留表示の態様が変化した後に更に別の態様に変化するため、遊技者に対して、保留表示の態様が何段階に亘って変化するかについて注目させることができるという新たな効果を奏します。」
　しかしながら、上記「（３）本件補正発明と先願発明との対比において示した通り、先願発明における発明特定事項ｄ３は、先願発明における発明特定事項ｄ１の保留予告変化演出と、先願発明における発明特定事項ｄ２の保留予告変化演出とが、この順番で実行される場合を含むものであり、本件補正発明の構成Ｄ３である「前記所定態様から前記第１特別態様に変化することを示唆した後、前記第２特別態様に変化することを示唆する第３示唆演出」に相当する構成を備えるといえる。
　したがって、審判請求人の主張は採用できない。
　４．むすび
　以上のとおりであるから、本件補正は、特許法第１７条の２第６項において準用する同法第１２６条第７項の規定に違反するので、同法第１５９条第１項において読み替えて準用する同法第５３条第１項の規定により却下すべきものである。
 第３　本願発明について
　１．本願発明
　本件補正は上記のとおり却下されたので、本願の請求項１−２に係る発明は、平成２９年５月２日付けの手続補正書により補正された、特許請求の範囲の請求項１−２に記載された事項により特定されるところ、その請求項１に係る発明（以下、「本願発明」という）は、上記第２の１．において記載した次のとおりのものである。
「【請求項１】
Ａ　変動表示を行ない、遊技者にとって有利な有利状態に制御可能な遊技機であって、
Ｂ　未だ開始されていない変動表示について、保留表示として表示可能な保留表示手段と、
Ｃ　保留表示の態様を、所定態様から第１特別態様および第２特別態様を含む複数種類の特別態様のうちのいずれかに変化可能な態様変化手段と、
Ｄ　前記所定態様で表示されている保留表示の態様が変化することを示唆する示唆演出を実行可能とする示唆演出実行手段とを備え、
　前記示唆演出実行手段は、
Ｄ１　前記所定態様で表示されている保留表示の態様が前記第１特別態様に変化することを示唆する第１示唆演出と、
Ｄ２　前記所定態様で表示されている保留表示の態様が前記第２特別態様に変化することを示唆する第２示唆演出と、
Ｄ４　一つの演出により前記所定態様で表示されている複数の保留表示の態様が前記特別態様に変化することを示唆する特定示唆演出とを実行可能である、遊技機。」
　２．拒絶理由通知の概要
　平成２９年３月１日付け拒絶理由通知の理由３は、本願発明は、上記先願明細書等に記載された発明と同一の発明であり、特許法第２９条の２の規定により特許を受けることができないというものである。
　３．先願明細書等及び先願発明
　先願明細書等に記載されている、先願発明の認定は前記「第２　平成２９年８月２１日付けの手続補正についての補正却下の決定」の「３．独立特許要件」に記載したとおりである。 
　４．対比・判断
　本願発明は、本件補正発明から、前記第２の２．に記載した補正事項である発明特定事項Ｄ３の「前記所定態様から前記第１特別態様に変化することを示唆した後、前記第２特別態様に変化することを示唆する第３示唆演出と」を削除したものである。
　そうすると、本願発明の構成要件をすべて含み、さらに他の限定を付加したものに相当する本件補正発明が、前記第２の３．に記載したとおり、先願発明と同一の発明であることから、本願発明も同様の理由により、先願発明と同一の発明であるといえる。
　５．むすび 
　以上のとおり、本願発明は、先願発明と同一の発明であり、しかも、本願発明の発明者が先願発明の発明者と同一であるとはいえず、また、本願の出願遡及日時点において、その出願人が先願発明の出願人と同一であるともいえないので、特許法第２９条の２の規定により特許を受けることができない。
　したがって、その余の請求項について検討するまでもなく、本願は拒絶されるべきものである。